(57)【要約】【課題】正常な画素と欠陥が発生している画素との判定を正確に行える液晶パネルの点灯検査方法および点灯検査装置を提供する。【解決手段】液晶パネル１０の正面及び背面に対向してそれぞれ偏光板１１、１２を配置する。受けた光のうちの青色の光を緑色の光に変換して放出するとともに、赤色及び緑色の光を透過させる光色変換板１４を、正面側の偏光板１２の正面に対向して配置する。この状態で、各データ線４に、正極性の電圧Ｖｓ（Ｈ）と負極性の電圧Ｖｓ（Ｌ）が所定時間ごとに交互に切り替わるソース信号を印加するとともに、各走査線３に、ソース信号における正極性の電圧Ｖｓ（Ｈ）、負極性の電圧Ｖｓ（Ｌ）が印加される各時間帯に、薄膜トランジスタ５をオフするレベルの電圧Ｖｇ（Ｌ）から薄膜トランジスタ５をオンするレベルの電圧Ｖｇ（Ｈ）に立ち上がるパルスＰを有するゲート信号を印加しながら、液晶パネル１０を背面から偏光板１１を通じて照明する。【選択図】図１
2007121692.tif 000002
【特許請求の範囲】
【請求項１】
互いに絶縁されながらマトリクス状に形成された走査線、データ線と、
走査線、データ線の交差する各領域に設けられた画素電極と、
各画素電極に隣接して設けられ、ゲート端子が走査線に接続され、ソース端子がデータ
線に接続され、ドレイン端子が画素電極に接続された薄膜トランジスタと、
各画素電極に対し液晶を介在して対向配置された共通電極と、を備えた液晶パネルの点
灯検査方法であって、
液晶パネルの正面及び背面に対向してそれぞれ偏光板を配置し、
受けた光のうちの青色の光を緑色の光に変換して放出するとともに、赤色及び緑色の光
を透過させる光色変換板を、正面側の偏光板の正面に対向して配置し、
各データ線に、正極性の電圧と負極性の電圧が所定時間ごとに交互に切り替わるソース
信号を印加するとともに、各走査線に、ソース信号における正極性の電圧、負極性の電圧
が印加される各時間帯にドレイン端子へのソース信号の供給を開くパルスを有するゲート
信号を印加しながら、液晶パネルを背面から偏光板を通じて照明することを特徴とする液
晶パネルの点灯検査方法。
【請求項２】
前記光色変換板は、青色の光を吸収して緑色の光を発する色素を含む層がガラス板に積
層されて成ることを特徴とする請求項１に記載の液晶パネルの点灯検査方法。
【請求項３】
互いに絶縁されながらマトリクス状に形成された走査線、データ線と、
走査線、データ線の交差する各領域に設けられた画素電極と、
各画素電極に隣接して設けられ、ゲート端子が走査線に接続され、ソース端子がデータ
線に接続され、ドレイン端子が画素電極に接続された薄膜トランジスタと、
各画素電極に対し液晶を介在して対向配置された共通電極と、を備えた液晶パネルの点
灯検査方法であって、
液晶パネルの正面及び背面に対向してそれぞれ偏光板を配置し、
受けた光のうちの青色の光を緑色の光に変換し、緑色の光を赤色に変換して放出すると
ともに、赤色の光を透過させる光色変換板を、正面側の偏光板の正面に対向して配置し、
各データ線に、正極性の電圧と負極性の電圧が所定時間ごとに交互に切り替わるソース
信号を印加するとともに、各走査線に、ソース信号における正極性の電圧、負極性の電圧
が印加される各時間帯にドレイン端子へのソース信号の供給を開くパルスを有するゲート
信号を印加しながら、液晶パネルを背面から偏光板を通じて照明することを特徴とする液
晶パネルの点灯検査方法。
【請求項４】
前記光色変換板は、青色の光を吸収して緑色の光を発する色素と、緑色の光を吸収して
赤色の光を発する色素と、を含む層がガラス板に積層されて成ることを特徴とする請求項
３に記載の液晶パネルの点灯検査方法。
【請求項５】
前記各偏光板が検査専用のものであって、正面側の前記偏光板に前記光色変換板が積層
されていることを特徴とする請求項１から４のいずれかに記載の液晶パネルの点灯検査方
法。
【請求項６】
検査用の光源と、前記検査用の光源の上方に配置された一対の検査用の偏光板と、前記
検査用の偏光板の上方に配置された検査用の光色変換板を備えた点灯検査装置。
【発明の詳細な説明】
【技術分野】
【０００１】
本発明は、駆動回路を実装する前の液晶パネルの点灯検査方法及び点灯検査装置に関す
る。
【背景技術】
【０００２】
近年、パーソナルコンピュータ、携帯電話機、携帯情報端末等の電子機器が広く普及し
ており、その電子機器には、表示画面として液晶パネルが搭載されている。
【０００３】
一般に、液晶パネルの製造工程は、前工程から順に、アレイ工程、セル工程、モジュー
ル工程に大別される。
【０００４】
アレイ工程は、液晶パネルにおける対向基板の一方であるアレイ基板を製造する工程で
あり、このアレイ工程では、素材であるマザー基板上に、配線、薄膜トランジスタ、絶縁
膜、画素電極等を形成する。
【０００５】
もっとも、近年のほとんどは１つの基板から複数個の液晶パネルを切り出すようしてお
り、この場合は、所望する液晶パネルのサイズよりもはるかに大きいサイズのマザー基板
を準備し、このマザー基板上に配線等を液晶パネルごとに区分けして形成することになる
。なお、アレイ工程と並行して、アレイ基板と対になる共通電極を含むＣＦ（カラーフィ
ルタ）基板を製造するＣＦ工程も当然に存在する。
【０００６】
セル工程では、先に出来上がったアレイ基板とＣＦ基板とを互いに貼り合わせ、その後
、個々の液晶パネルに分断する。そして、液晶パネルごとに、対向基板（アレイ基板とＣ
Ｆ基板）同士の隙間に液晶を注入して封じ込め、表面処理を行う。
【０００７】
モジュール工程では、セル工程を経て得られた液晶パネルごとに、駆動系の電子回路等
を取り付けたり、偏光板を貼り付けたりする。更に、最終的な仕様に合わせて、バックラ
イトとしての光源や導光板等を組み付ける場合もある。
【０００８】
ところで、このようにして作製された液晶パネルには、高度な薄膜形成技術や微細加工
技術をもってしても、画素電極と対向電極（共通電極）間でのリーク不良や、配線（走査
線やデータ線等）の欠損、断線や、薄膜トランジスタの特性不良といった種々の欠陥が発
生し得る。そのため、セル工程を経て得られた液晶パネルについては、モジュール工程に
至る前に、すなわち偏光板の貼付け等を含め駆動回路を実装する前に、通常いわゆる点灯
検査を行っている。
【０００９】
この点灯検査により液晶パネルの欠陥を早期に発見できるため、後工程であるモジュー
ル工程に不良品が流出するのを防止でき、その結果として製造コストの抑制を図ることが
できる。
【００１０】
ここでの点灯検査の手法を続いて説明する（例えば、特許文献１参照）。先ず、図３に
示すように、点灯検査の対象である液晶パネル１０は、大きくは、互いの間に液晶が封入
されたアレイ基板１とＣＦ基板２とより成る。
【００１１】
アレイ基板１には、走査線３、走査線端子３ａ、データ線４、データ線端子４ａ、薄膜
トランジスタ５、及び画素電極６が形成されている。具体的には、走査線３とデータ線４
とは、絶縁膜（不図示）を介在してマトリクス状に配置され、それらの両者が交差する各
領域には、薄膜トランジスタ５と画素電極６とが互いに隣接して配置されている。薄膜ト
ランジスタ５は、ゲート端子５ａ、ソース端子５ｂ、ドレイン端子５ｃを有し、そのゲー
ト端子５ａが走査線３に接続され、そのソース端子５ｂがデータ線４に接続され、そのド
レイン端子５ｃが画素電極６に接続されている。他方のＣＦ基板２には、各画素電極６に
対向して配置された共通電極７が形成されている。
【００１２】
このような液晶パネル１０に対し、各データ線４に各データ線端子４ａより検査用のソ
ース信号を印加するとともに、各走査線３に各走査線端子３ａより検査用のゲート信号を
印加しながら、検査用のバックライトによって液晶パネル１０を背面から白色光（赤色、
緑色及び青色の混色光を含む）で照射する。なお、その際、共通電極７には、共通電極端
子（不図示）より一定の直流電圧が印加されている。
【００１３】
その際のソース信号としては、図４（ａ）に示すように、正極性の電圧Ｖｓ（Ｈ）と負
極性の電圧Ｖｓ（Ｌ）が所定時間ごとに交互に切り替わる信号が用いられる。他方ゲート
信号としては、図４（ｂ）に示すように、ソース信号における正極性の電圧Ｖｓ（Ｈ）、
負極性の電圧Ｖｓ（Ｌ）が印加される各時間帯の前半に、薄膜トランジスタ５をオフする
レベルの電圧Ｖｇ（Ｌ）から薄膜トランジスタ５をオンするレベルの電圧Ｖｇ（Ｈ）に立
ち上がるパルスＰを周期的に有する信号が用いられる。
【００１４】
このようなソース信号とゲート信号がそれぞれ各データ線４と各走査線３を通じて各薄
膜トランジスタ５のソース端子５ｂとゲート端子５ａに印加されると、ゲート信号のパル
スＰが印加されている間だけドレイン端子へのソース信号の供給が開かれる。これに応じ
て、各画素電極６には、図４（ｃ）に示すように、ゲート信号のパルスＰが印加されてい
る間はドレイン端子を通じてソース信号が供給されてＶｐ（Ｈ）又はＶｐ（Ｌ）の電圧が
蓄積され、その電圧Ｖｐ（Ｈ）、Ｖｐ（Ｌ）は、ゲート信号の次のパルスＰが印加される
まで保持される。
【００１５】
ここで、リーク不良の欠陥が発生している画素では、図４（ｄ）に示すように、ソース
信号の電圧Ｖｓ（Ｈ）、Ｖｓ（Ｌ）が切り替わった時点から画素電極６の電圧が急激にリ
ークし、特に、高い側の電圧Ｖｐ（Ｈ）は急勾配で大きく低下する。また、走査線３やデ
ータ線４に欠損、断線が発生している画素では、画素電極６に蓄えられるべき正規の高い
側の電圧Ｖｐ（Ｈ）にまったく満たない。また、薄膜トランジスタ５の特性不良が発生し
ている画素でも、画素電極６に正規の高い側の電圧Ｖｐ（Ｈ）が蓄えられない。
【００１６】
そうすると、電圧無印加状態で白表示（バックライト光が偏光板を通じて透過）となる
ノーマリホワイト型の液晶パネルの場合、正常な画素では、画素電極６と共通電極７との
間に安定した大きな電位差が生じるため、これが液晶に有効に作用して液晶の配列が十分
に変化し、その結果、黒表示（バックライト光が偏光板で遮断）に変わる。
【００１７】
一方、欠陥が発生している画素では、画素電極６と共通電極７との間の電位差が小さい
ため、液晶の配列変化が不十分となり、その結果、白表示のまま又は中間的な薄明るい表
示となり、これが輝点となって表れる。
【００１８】
これとは逆に、電圧無印加状態で黒表示となるノーマリブラック型の液晶パネルの場合
は、上記のノーマリホワイト型の液晶パネルに対して表示が反転する。つまり、正常な画
素では、白表示に変わる。一方、欠陥が発生している画素では、黒表示のまま又は中間的
な薄暗い表示となり、これが暗点となって表れる。
【００１９】
なお、白表示とはいっても、実際には、各画素に対応して配置されたＣＦによって赤色
、緑色、青色の表示が表れる。
【００２０】
こうして点灯検査では、ノーマリホワイト型の液晶パネルの場合は、黒表示の中から赤
色、緑色、青色で表れた輝点を、ノーマリブラック型の液晶パネルの場合は、赤色、緑色
、青色で表れた白表示の中から暗点を検出することにより、欠陥の有無を判別できる。
【特許文献１】特開平７−２０９１３６号公報
【発明の開示】
【発明が解決しようとする課題】
【００２１】
しかし、そのような点灯検査における輝点や暗点の検出は、さまざまな方法が提案され
てはいるが、結局の所実現にまでには至らず、検査作業者による目視観察によってなされ
ているのが実状である。
【００２２】
このような検査作業員の目視観察による点灯検査において、顕著な傾向が現れることが
判明した。それは青色で表れた、ノーマリホワイト型の液晶パネルの場合での欠陥が発生
している画素に相当する輝点や、ノーマリブラック型の液晶パネルの場合での正常な画素
に相当する白表示部分を見落として、その判定を誤ってしまうことがあるということであ
る。そして一方で、赤色や緑色で表れた輝点や白表示部分については滅多に見落とすこと
はなく、その判定は正確に行える。この理由を検証してみたところ、これはもともと人間
の目が赤色や緑色に比べて青色を認識し難いと考えられるからであるということがわかっ
た。
【００２３】
そこで本発明は、上記の問題に鑑みてなされたものであり、正常な画素と欠陥が発生し
ている画素との判定を正確に行える液晶パネルの点灯検査方法及びその点灯検査装置を提
供することを目的とするものである。
【課題を解決するための手段】
【００２４】
上記目的を達成するため、本発明による液晶パネルの点灯検査方法は、互いに絶縁され
ながらマトリクス状に形成された走査線、データ線と、走査線、データ線の交差する各領
域に設けられた画素電極と、各画素電極に隣接して設けられ、ゲート端子が走査線に接続
され、ソース端子がデータ線に接続され、ドレイン端子が画素電極に接続された薄膜トラ
ンジスタと、各画素電極に対し液晶を介在して対向配置された共通電極と、を備えた液晶
パネルの点灯検査方法であって、液晶パネルの正面及び背面に対向してそれぞれ偏光板を
配置し、受けた光のうちの青色の光を緑色の光に変換して放出するとともに、赤色及び緑
色の光を透過させる光色変換板を、正面側の偏光板の正面に対向して配置する。そして、
各データ線に、正極性の電圧と負極性の電圧が所定時間ごとに交互に切り替わるソース信
号を印加するとともに、各走査線に、ソース信号における正極性の電圧、負極性の電圧が
印加される各時間帯にドレイン端子へのソース信号の供給を開くパルスを有するゲート信
号を印加しながら、液晶パネルを背面から偏光板を通じて照明する。
【００２５】
このようにすれば、ノーマリホワイト型の液晶パネルの場合、正常な画素では黒表示に
変わり、一方欠陥が発生している画素では輝点が表れ、これとは逆に、ノーマリブラック
型の液晶パネルの場合は、正常な画素では白表示に変わり、一方欠陥が発生している画素
では暗点が表れる。その際のノーマリホワイト型の液晶パネルの場合での輝点については
、青色で表れる予定の輝点では、その青色の光が光色変換板を経ることにより、緑色で表
れ、赤色、緑色で表れる予定の輝点では、その赤色、緑色の光が光色変換板を透過するこ
とにより、赤色、緑色のまま表れる。ノーマリブラック型の液晶パネルの場合での白表示
部分についても同様に、青色で表れる予定の白表示部分では、緑色で表れ、赤色、緑色で
表れる予定の白表示部分では、赤色、緑色のまま表れる。従って、ノーマリホワイト型の
液晶パネルの場合での欠陥が発生している画素に相当する輝点や、ノーマリブラック型の
液晶パネルの場合での正常な画素に相当する白表示部分が、青色以外の認識し易い赤色や
緑色で表れるため、見落としを防止できる。
【００２６】
ここで、実用的には、前記光色変換板は、青色の光を吸収して緑色の光を発する色素を
含む層がガラス板に積層されて成ることが好ましい。
【００２７】
また、上記目的を達成するための本発明による液晶パネルの点灯検査方法は、互いに絶
縁されながらマトリクス状に形成された走査線、データ線と、走査線、データ線の交差す
る各領域に設けられた画素電極と、各画素電極に隣接して設けられ、ゲート端子が走査線
に接続され、ソース端子がデータ線に接続され、ドレイン端子が画素電極に接続された薄
膜トランジスタと、各画素電極に対し液晶を介在して対向配置された共通電極と、を備え
た液晶パネルの点灯検査方法であって、液晶パネルの正面及び背面に対向してそれぞれ偏
光板を配置し、受けた光のうちの青色の光を緑色の光に変換し、緑色の光を赤色に変換し
て放出するとともに、赤色の光を透過させる光色変換板を、正面側の偏光板の正面に対向
して配置する。そして、各データ線に、正極性の電圧と負極性の電圧が所定時間ごとに交
互に切り替わるソース信号を印加するとともに、各走査線に、ソース信号における正極性
の電圧、負極性の電圧が印加される各時間帯にドレイン端子へのソース信号の供給を開く
パルスを有するゲート信号を印加しながら、液晶パネルを背面から偏光板を通じて照明す
る。
【００２８】
このようにすれば、ノーマリホワイト型の液晶パネルの場合、正常な画素では黒表示に
変わり、一方欠陥が発生している画素では輝点が表れ、これとは逆に、ノーマリブラック
型の液晶パネルの場合は、正常な画素では白表示に変わり、一方欠陥が発生している画素
では暗点が表れる。その際のノーマリホワイト型の液晶パネルの場合での輝点については
、青色で表れる予定の輝点では、その青色の光が光色変換板を経ることにより、赤色で表
れ、緑色で表れる予定の輝点では、その緑色の光が光色変換板を経ることにより、赤色で
表れ、赤色で表れる予定の輝点では、その赤色の光が光色変換板を透過することにより、
赤色のまま表れる。ノーマリブラック型の液晶パネルの場合での白表示部分についても同
様に、青色で表れる予定の白表示部分では、赤色で表れ、緑色で表れる予定の白表示部分
では、赤色で表れ、赤色で表れる予定の白表示部分では、赤色のまま表れる。従って、ノ
ーマリホワイト型の液晶パネルの場合での欠陥が発生している画素に相当する輝点や、ノ
ーマリブラック型の液晶パネルの場合での正常な画素に相当する白表示部分が、青色以外
の認識し易い赤色で表れるため、見落としを防止できる。
【００２９】
ここで、実用的には、前記光色変換板は、青色の光を吸収して緑色の光を発する色素と
、緑色の光を吸収して赤色の光を発する色素と、を含む層がガラス板に積層されて成るこ
とが好ましい。
【００３０】
また、前記各偏光板が検査専用のものであって、正面側の前記偏光板に前記光色変換板
が積層されていてもよい。
【００３１】
また、上記のような点灯検査方法を行うための点灯検査装置として、検査用の光源と、
前記検査用の光源の上方に配置された一対の検査用の偏光板と、前記検査用の偏光板の上
方に配置された検査用の光色変換板を備えた点灯検査装置である。
【発明の効果】
【００３２】
本発明の液晶パネルの点灯検査方法及び点灯検査装置によれば、正常な画素と欠陥が発
生している画素との判定を正確に行える。
【発明を実施するための最良の形態】
【００３３】
以下に、本発明の液晶パネルの点灯検査方法および点灯検査装置の実施形態について、
図面を参照しながら詳述する。
【００３４】
先ず、本発明の第１実施形態である液晶パネルの点灯検査方法について説明する。図１
は第１実施形態である液晶パネルの点灯検査での構成を模式的に示す図である。
【００３５】
本実施形態での点灯検査の対象である液晶パネルは、上記した図３に示す一般的な液晶
パネルと同様である。
【００３６】
本実施形態での点灯検査においては、その液晶パネルを専用の検査装置にセットする。
この検査装置は、検査用の光源と、検査用の光源の上方に配置された一対の検査用の偏光
板と、検査用の偏光板の上方に配置された検査用の光色変換板からなっている点灯検査装
置である。
【００３７】
この状態では、図１に示すように、液晶パネル１０（ここではアレイ基板１）の背面に
対向して偏光板１１が検査用に配置され、他方の液晶パネル１０（ここではＣＦ基板２）
の正面に対向して偏光板１２が検査用に配置されている。つまりここでの偏光板１１、１
２は、検査専用のものである。但し、液晶パネル１０に既に偏光板が貼り付けられている
場合には、その偏光板１１、１２は不要である。
【００３８】
また、背面側の偏光板１１の背後には、検査用のバックライト１３が配置されている。
ここでのバックライト１３の光源としては、冷陰極管や発光ダイオードが用いられる。液
晶パネル１０は、偏光板１１を通じたバックライト１３による白色光により背面から照明
される。その白色光としては、赤色、緑色及び青色の混色光も含まれる。
【００３９】
また、本実施形態では特に、正面側の偏光板１２の正面に対向して光色変換板１４が点
灯検査のために配置されている。ここでの検査用の光色変換板１４は、受けた光のうちの
青色の光を緑色の光に変換して放出する一方で、赤色及び緑色の光を透過させる特性を有
する。
【００４０】
例えば、青色の光を吸収して緑色の光を発する色素を含むことで実現できる。その色素
としては、８−ヒドロキシキノリンのアルミニウム錯体等の金属錯体や、ナフタルイミド
誘導体や、チアジアジアゾロピリジン誘導体や、ピロロピリジン誘導体や、ナフチリジン
誘導体が例示される。その他に、クマリン系緑色蛍光色素が例示される。
【００４１】
ここで、取扱いの容易性を踏まえると、実際の光色変換板１４の態様としては、上記の
色素を含む層が、無色透明で変形し難いガラス板に積層されているとよい。これとは別の
態様として、上記の色素を含む層がガラス板を含む検査専用の偏光板１２に積層されてい
てもよい。
【００４２】
また、光色変換板１４については、検査装置の一部として組み込まれても構わないが、
例えば、光色変換板１４をレンズとするメガネを準備しておき、検査作業者がそのメガネ
をかけるようにしてもよい。
【００４３】
そして、液晶パネル１０に対し、各データ線４に各データ線端子４ａより検査用のソー
ス信号を印加するとともに、各走査線３に各走査線端子３ａより検査用のゲート信号を印
加しながら、バックライト１３によって液晶パネルを背面から白色光で照射する。なお、
その際、共通電極７には、共通電極端子より一定の直流電圧が印加されている。
【００４４】
その際のソース信号としては、図４（ａ）に示すソース信号と同様に、正極性の電圧Ｖ
ｓ（Ｈ）と負極性の電圧Ｖｓ（Ｌ）が所定時間ごとに交互に切り替わる信号が用いられる
。この信号は、例えば１／６０［ｓ（秒）］（＝１６．７［ｍｓ］）ごとに、正極性の電
圧Ｖｓ（Ｈ）と負極性の電圧Ｖｓ（Ｌ）が交互に切り替わる。他方ゲート信号としては、
図４（ｂ）に示すゲート信号と同様に、ソース信号における正極性の電圧Ｖｓ（Ｈ）、負
極性の電圧Ｖｓ（Ｌ）が印加される各時間帯の前半に、薄膜トランジスタ５をオフするレ
ベルの電圧Ｖｇ（Ｌ）から薄膜トランジスタ５をオンするレベルの電圧Ｖｇ（Ｈ）に立ち
上がるパルスＰを周期的に有する信号が用いられる。この信号は、例えば、周期が１／６
０［ｓ］（＝１６．７［ｍｓ］）で、そのパルスＰの幅が１０〜２５［μｓ］である。
【００４５】
すると、ノーマリホワイト型の液晶パネルの場合、正常な画素では黒表示に変わり、一
方欠陥が発生している画素では輝点が表れる。これとは逆に、ノーマリブラック型の液晶
パネルの場合は、正常な画素では白表示に変わり、一方欠陥が発生している画素では暗点
が表れる。
【００４６】
その際のノーマリホワイト型の液晶パネルの場合での輝点の色は、そもそも各画素に対
応して配置されたＣＦによって選択的に赤色、緑色、青色となるわけであるが、そのうち
の青色で表れる予定の輝点では、その青色の光が光色変換板１４を経て緑色の光に変換さ
れるため、緑色で表れる。もっとも、赤色、緑色で表れる予定の輝点では、その赤色、緑
色の光が光色変換板１４を透過するため、赤色、緑色のまま表れる。
【００４７】
同様に、ノーマリブラック型の液晶パネルの場合での白表示部分については、青色で表
れる予定の白表示部分では、緑色で表れ、赤色、緑色で表れる予定の白表示部分では、赤
色、緑色のまま表れる。
【００４８】
従って、ノーマリホワイト型の液晶パネルの場合での欠陥が発生している画素に相当す
る輝点や、ノーマリブラック型の液晶パネルの場合での正常な画素に相当する白表示部分
が、青色以外の認識し易い赤色や緑色で表れるため、見落としを防止できる。その結果、
正常な画素と欠陥が発生している画素との判定を正確に行える。
【００４９】
次に、本発明の第２実施形態について説明する。図２は第２実施形態である液晶パネル
の点灯検査での構成を模式的に示す図である。本第２実施形態の特徴は、第１実施形態に
おける光色変換板１４の特性を変形した点にある。なお、第１実施形態と重複する説明は
適宜省略する。
【００５０】
本実施形態では、図２に示すように、第１実施形態での光色変換板１４に代え、光色変
換板１５が点灯検査のために配置されている。ここでの検査用の光色変換板１５は、受け
た光のうちの青色の光を緑色の光に変換し、更に緑色の光を赤色に変換して放出する一方
で、赤色の光を透過させる特性を有する。
【００５１】
例えば、青色の光を吸収して緑色の光を発する色素と、緑色の光を吸収して赤色の光を
発する色素と、を含むことで実現できる。前者の色素としては、上記の第１実施形態と同
様のものが例示される。後者の色素としては、４−ジシアノメチレン−２メチル−６−（
ｐ−ジメチルアミノスチルリン）−４Ｈ−ピラン（ＤＣＭ）等のジシアニン系色素や、１
−エチル−２−（４−（ｐ−ジメチルアミノフェニル）−１、３−ブタジエニル）−ピリ
ジウム−パーコラレイト（ピリジン１）等のピリジン系色素や、ローダミンＢ、ローダミ
ン６Ｇ等のキサンテン系色素や、オキサジン系色素が例示される。その他に、クマリン色
素や、アクリジン色素や、縮合芳香族環色素（例えば、フェノキサゾン、フェノキサゾン
族６６０）が例示される。
【００５２】
ここで、上記の第１実施形態と同様に、取扱いの容易性を踏まえると、実際の光色変換
板１５の態様としては、上記の両色素を含む層が、無色透明で変形し難いガラス板に積層
されているとよい。これとは別の態様として、上記の両色素を含む層がガラス板を含む検
査専用の偏光板１２に積層されていてもよい。
【００５３】
また、光色変換板１５については、検査装置の一部として組み込まれても構わないが、
例えば、光色変換板１５をレンズとするメガネを準備しておき、検査作業者がそのメガネ
をかけるようにしてもよい。
【００５４】
このような光色変換板１５にしても、ノーマリホワイト型の液晶パネルの場合、正常な
画素では黒表示に変わり、一方欠陥が発生している画素では輝点が表れる。これとは逆に
、ノーマリブラック型の液晶パネルの場合は、正常な画素では白表示に変わり、一方欠陥
が発生している画素では暗点が表れる。
【００５５】
その際のノーマリホワイト型の液晶パネルの場合での輝点については、青色で表れる予
定の輝点では、その青色の光が光色変換板１５を経て緑色の光に変換され、更にその緑色
の光が赤色の光に変換されるため、赤色で表れる。また、緑色で表れる予定の輝点では、
その緑色の光が光色変換板１５を経て赤色の光に変換されるため、赤色で表れる。もっと
も、赤色で表れる予定の輝点では、その赤色の光が光色変換板１５を透過するため、赤色
のまま表れる。
【００５６】
同様に、ノーマリブラック型の液晶パネルの場合での白表示部分については、青色で表
れる予定の白表示部分では、赤色で表れ、緑色で表れる予定の白表示部分では、赤色で表
れ、赤色で表れる予定の白表示部分では、赤色のまま表れる。
【００５７】
従って、ノーマリホワイト型の液晶パネルの場合での欠陥が発生している画素に相当す
る輝点や、ノーマリブラック型の液晶パネルの場合での正常な画素に相当する白表示部分
が、青色以外の認識し易い赤色で表れるため、見落としを防止できる。その結果、正常な
画素と欠陥が発生している画素との判定を正確に行える。
【００５８】
その他本発明は上記の各実施形態に限定されず、本発明の趣旨を逸脱しない範囲で、種
々の変更が可能である。例えば、点灯検査における第１検査工程で用いられるゲート信号
としては、ソース信号における正極性の電圧Ｖｓ（Ｈ）、負極性の電圧Ｖｓ（Ｌ）が印加
される各時間帯に、パルスＰが立ち上がってドレイン端子へのソース信号の供給を開く信
号であれば、どのようなものでもよい。
【産業上の利用可能性】
【００５９】
本発明は、駆動回路を実装する前の液晶パネルの点灯検査に有用である。
【図面の簡単な説明】
【００６０】
【図１】本発明の第１実施形態である液晶パネルの点灯検査での構成を模式的に示す図である。
【図２】本発明の第２実施形態である液晶パネルの点灯検査での構成を模式的に示す図である。
【図３】点灯検査の対象である液晶パネルの回路図である。
【図４】従来の液晶パネルの点灯検査における信号のタイムチャートである。
【符号の説明】
【００６１】
１    アレイ基板
２    ＣＦ基板
３    走査線
３ａ    走査線端子
４    データ線
４ａ    データ線端子
５    薄膜トランジスタ
５ａ    ゲート端子
５ｂ    ソース端子
５ｃ    ドレイン端子
６    画素電極
７    共通電極
１０    液晶パネル
１１    偏光板
１２    偏光板
１３    バックライト
１４、１５    光色変換板
【図１】
2007121692.tif 000003
【図２】
2007121692.tif 000004
【図３】
2007121692.tif 000005
【図４】
2007121692.tif 000006